(57)【要約】【課題】記録画像の斑を視認され難くすることのできる露光装置及び露光位置補正方法を得る。【解決手段】装置に含まれるレンズの歪曲収差による位置ずれであり、かつファイバーアレイ部３１から射出されたレーザビームによる被露光面での露光位置の目標とする位置からの副走査方向に対する位置ずれを相殺するようにファイバーアレイ部３１における複数の光射出部の配置位置を決定する。【選択図】　　　　図２
2004109197.tif 000002
【特許請求の範囲】
【請求項１】
各々露光用の光が射出される複数の光射出部を所定方向に沿った直線状に配置して構成した光射出部群が前記所定方向と直交する方向に複数列設けられて構成された光射出手段と、前記光射出手段から射出された光を被露光面に集光するためのレンズと、を有し、前記被露光面に互いに異なる走査線を同時に露光記録する露光装置であって、
前記レンズの歪曲収差による走査線の位置ずれであり、前記光射出手段から射出された光による前記被露光面での前記走査線の当該走査線と直交する方向に対する位置ずれを相殺するように、前記光射出手段における前記複数の光射出部の前記所定方向に対する配置位置が決定された
ことを特徴とする露光装置。
【請求項２】
前記レンズを、コリメータレンズ及び結像レンズ、又は結像レンズのみとした
請求項１記載の露光装置。
【請求項３】
各々露光用の光が射出される複数の光射出部を所定方向に沿った直線状に配置して構成した光射出部群が前記所定方向と直交する方向に複数列設けられて構成された光射出手段と、前記光射出手段から射出された光を被露光面に集光するためのレンズと、を有し、前記被露光面に互いに異なる走査線を同時に露光記録する露光装置における露光位置補正方法であって、
前記レンズの歪曲収差による走査線の位置ずれであり、前記光射出手段から射出された光による前記被露光面での前記走査線の当該走査線と直交する方向に対する位置ずれを相殺するように、前記光射出手段における前記複数の光射出部の前記所定方向に対する配置位置を決定した
ことを特徴とする露光位置補正方法。
【発明の詳細な説明】
【０００１】
【発明の属する技術分野】
本発明は、露光装置及び露光位置補正方法に係り、特に、複数の光源から射出された露光用の光を用いて被露光面を走査露光する露光装置及び当該露光装置における露光位置補正方法に関する。
【０００２】
【従来の技術】
従来より、外周面に感光材料（記録媒体）が装着されたドラムを主走査方向に回転させると共に、上記感光材料に記録すべき画像の画像データに応じたレーザビームを上記主走査方向と直交する副走査方向に走査させることで、２次元画像を上記感光材料に記録するようにした露光記録装置が広く用いられている。
【０００３】
また、この種の露光記録装置には、記録速度の高速化を目的として、複数の光源から射出されたレーザビームを各々光ファイバーで単一のファイバーアレイ部に案内すると共に、当該ファイバーアレイ部において各光ファイバーにおけるレーザビームの射出口端部（以下、「光射出部」という。）を副走査方向に並べて配置しておき、上記複数の光源から射出された複数のレーザビームによる露光を同時に行うものがあった。この露光記録装置では、ドラムを主走査方向に回転させると共に、画像データに応じたレーザビームをファイバーアレイ部に設けられた複数の光射出部から同時に射出しつつ、当該ファイバーアレイ部を所定ピッチで副走査方向に移動させることで、高速に２次元画像を記録することができる。
【０００４】
更に、この種の露光記録装置には、記録画像の高解像度化を目的として、上記ファイバーアレイ部を、複数の光射出部を所定方向に沿った直線状に配置して構成した光射出部群を上記所定方向と直交する方向に２列設けて構成すると共に、当該ファイバーアレイ部を上記所定方向が副走査方向に対して傾斜された状態で用いるものがあった。
【０００５】
すなわち、この露光記録装置では、光射出部群が２列設けられたファイバーアレイ部を副走査方向に対して傾斜させることにより、一例として図６に示すように、一方の光射出部群の各光射出部から射出されたレーザビームにより被露光面に記録されるドットの副走査方向に対する位置を、他方の光射出部群の各光射出部から射出されたレーザビームにより被露光面に記録されるドットの中央に位置させた状態で用いるようにし、この結果として被露光面に記録される画像の解像度を、当該ファイバーアレイ部を副走査方向に対して傾斜させない場合に比較して高くすることができるようにしている。
【０００６】
ところで、網点画像により濃淡画像を印刷するための印刷手法として、ＦＭスクリーン（ＦＭ　Ｓｃｒｅｅｎ）と呼ばれる手法があった。この手法は、規則性を持たない不定形ドットの集合密度によって記録画像の濃淡を表現するものであり、以前から広く用いられているＡＭスクリーンと呼ばれる手法に比較してモアレが発生しにくく、またトーンジャンプが発生しない、という優れた特徴を有するものである。
【０００７】
すなわち、ＡＭスクリーンでは、最小単位の網点画像が、一例として１４（水平方向ドット数）×１４（垂直方向ドット数）の合計１９６ドット等、比較的多数のドットで構成されており、当該網点画像を２次元平面状に並べて記録することにより濃淡画像を記録するようにしている。これに対し、ＦＭスクリーンでは、一例として２×２の合計４ドット等、比較的少数のドットで構成された画像を２次元平面状にばらけさせて階調表現を行うようにしており、これによって前述のようにモアレやトーンジャンプの発生を防止することができる。
【０００８】
一方、露光記録装置における画像記録の精度の評価用に、主走査方向に沿った直線を副走査方向に所定ピッチで複数本記録する場合があった。これによって得られた直線画像の直線性、傾斜の有無、エッジの状態等を目視にて確認することにより、当該露光記録装置の画像記録の精度を評価することができる。
【０００９】
なお、２ライン記録、２ライン未記録を副走査方向に対して順次繰り返すことにより得られる記録画像を本明細書では「２オン／２オフの画像」という。
【００１０】
ここで、上述した２列の光射出部群を備えたファイバーアレイ部を副走査方向に対して傾斜させた状態で用いる露光記録装置を用いて、ＦＭスクリーン、ＡＭスクリーン等による網点画像を用いた濃淡画像や２オン／２オフの画像等、複数のドットの組み合わせによって画像を記録する場合には、各ドットは各光射出部から射出されるレーザビームにより記録することになる。
【００１１】
【発明が解決しようとする課題】
しかしながら、この露光記録装置では、ＦＭスクリーンによる濃淡画像や２オン／２オフの画像を記録する場合、記録画像に視認性の高い斑（むら）が発生する場合がある、という問題点があった。
【００１２】
すなわち、この種の露光記録装置には、通常、ファイバーアレイ部から射出されたレーザビームを被露光面に集光するためのコリメータレンズ、結像レンズ等のレンズが設けられているが、これらのレンズには歪曲収差が存在する。その一方で、この露光記録装置では、ファイバーアレイ部を副走査方向に対して傾斜させた状態で画像を記録するため、一例として図７に示すように、隣り合う走査線（解像度に対応した等間隔な線）を露光する光射出部であっても、レンズ中心に対応する位置からの距離が大きく異なっているので、レンズの歪曲収差に起因する記録ドットのゆがみ量に大きな差が生じてしまう。なお、同図における太矢印は、対応する光射出部の位置における歪曲収差の方向及び大きさを示すベクトルを示している。
【００１３】
このゆがみ量の差は、各光射出部群を構成する光射出部のピッチ間隔が略同一であるため、ファイバーアレイ部により一度に記録できるドットの範囲（１スワス（Ｓｗａｔｈ））内において副走査方向に規則的に増加、又は減少する。従って、例えばＦＭスクリーンによる濃淡画像や２オン／２オフの画像等、副走査方向に２ドット幅の画像を記録する場合の当該画像の副走査方向幅は、１スワス内において副走査方向に規則的に増加、又は減少することになる。
【００１４】
このように、１スワス内で記録濃度が規則的に増減すると共に、この露光記録装置ではファイバーアレイ部を所定ピッチで副走査方向に移動させて１枚の画像を記録するので、記録画像に視認性の高い斑が発生することになる。
【００１５】
本発明は上記問題点を解消するためになされたものであり、露光記録装置で用いられた際における記録画像の斑を視認され難くすることのできる露光装置及び露光位置補正方法を提供することを目的とする。
【００１６】
【課題を解決するための手段】
上記目的を達成するために、請求項１記載の露光装置は、各々露光用の光が射出される複数の光射出部を所定方向に沿った直線状に配置して構成した光射出部群が前記所定方向と直交する方向に複数列設けられて構成された光射出手段と、前記光射出手段から射出された光を被露光面に集光するためのレンズと、を有し、前記被露光面に互いに異なる走査線を同時に露光記録する露光装置であって、前記レンズの歪曲収差による走査線の位置ずれであり、前記光射出手段から射出された光による前記被露光面での前記走査線の当該走査線と直交する方向に対する位置ずれを相殺するように、前記光射出手段における前記複数の光射出部の前記所定方向に対する配置位置が決定されたことを特徴とする。
【００１７】
請求項１に記載の露光装置によれば、各々露光用の光が射出される複数の光射出部を所定方向に沿った直線状に配置して構成した光射出部群が上記所定方向と直交する方向に複数列設けられて構成された光射出手段と、当該光射出手段から射出された光を被露光面に集光するためのレンズと、を有し、上記被露光面に互いに異なる走査線が同時に露光記録される。なお、上記光射出部には、露光用の光を光射出手段まで案内する光ファイバーの当該光の射出口の他、当該光を発する光源自身も含まれる。
【００１８】
ここで、請求項１に記載の発明では、上記レンズの歪曲収差による走査線の位置ずれであり、光射出手段から射出された光による被露光面での上記走査線の当該走査線と直交する方向に対する位置ずれを相殺するように、光射出手段における複数の光射出部の上記所定方向に対する配置位置が決定される。
【００１９】
ここで、レンズの歪曲収差を示す情報（レンズの光通過領域における歪曲収差の方向及び大きさを示す情報）は、当該レンズの設計仕様に応じた演算や、作製されたレンズを用いた実測等により得ることができる。そして、レンズの歪曲収差に起因する、光射出手段から射出された光による被露光面での上記走査線の当該走査線と直交する方向に対する位置ずれの量は、演算や実測等によって事前に得られたレンズの歪曲収差を示す情報と、光射出手段の各光射出部から射出された光の当該レンズを通過する位置とに基づいて演算により導出することができる。
【００２０】
従って、各光射出部毎に上記位置ずれの量を事前に導出し、当該位置ずれの量に対応する量だけ、位置ずれの方向とは逆の方向に各光射出部の配置位置をずらすように各光射出部の上記所定方向に対する配置位置を決定することにより、結果的にレンズの歪曲収差に起因する露光光の走査線と直交する方向に対する位置ずれを相殺することができる。
【００２１】
すなわち、本発明では、露光装置で用いられるレンズの歪曲収差は当該レンズによって固有の量であると共に、歪曲収差を示す情報は予め得ることができるものである点に着目し、当該歪曲収差による走査線と直交する方向に対する露光位置の位置ずれを相殺するように光射出手段による各光射出部の配置位置を予め決定している。これによって実際の露光時には位置ずれ補正のための処理を何ら行うことなく、レンズの歪曲収差に起因する露光光の目標位置からの走査線と直交する方向に対する位置ずれの発生を未然に防止することができ、この結果として露光記録装置で用いられた際における記録画像の斑を視認され難くすることができる。
【００２２】
このように、請求項１に記載の露光装置によれば、レンズの歪曲収差による走査線の位置ずれであり、光射出手段から射出された光による被露光面での走査線の当該走査線と直交する方向に対する位置ずれを相殺するように光射出手段における複数の光射出部の配置位置を決定しているので、レンズの歪曲収差に起因する露光光の目標位置からの走査線と直交する方向に対する位置ずれの発生を未然に防止することができ、この結果として露光記録装置で用いられた際における記録画像の斑を視認され難くすることができる。
【００２３】
なお、請求項２記載の露光装置のように、請求項１記載の発明における前記レンズを、コリメータレンズ及び結像レンズ、又は結像レンズのみとすることができる。本発明のレンズとしてコリメータレンズ及び結像レンズの双方を適用した場合における本発明の歪曲収差の導出手法としては、当該コリメータレンズ及び結像レンズを用いた光学系全体の歪曲収差としてコンピュータ・シミュレーションにより導出する手法を例示することができる。
【００２４】
一方、上記目的を達成するために、請求項３記載の露光位置補正方法は、各々露光用の光が射出される複数の光射出部を所定方向に沿った直線状に配置して構成した光射出部群が前記所定方向と直交する方向に複数列設けられて構成された光射出手段と、前記光射出手段から射出された光を被露光面に集光するためのレンズと、を有し、前記被露光面に互いに異なる走査線を同時に露光記録する露光装置における露光位置補正方法であって、前記レンズの歪曲収差による走査線の位置ずれであり、前記光射出手段から射出された光による前記被露光面での前記走査線の当該走査線と直交する方向に対する位置ずれを相殺するように、前記光射出手段における前記複数の光射出部の前記所定方向に対する配置位置を決定したものである。
【００２５】
従って、請求項３に記載の露光位置補正方法によれば、請求項１記載の発明と同様に作用するので、請求項１記載の発明と同様に、レンズの歪曲収差に起因する露光光の目標位置からの走査線と直交する方向に対する位置ずれの発生を未然に防止することができ、この結果として露光記録装置で用いられた際における記録画像の斑を視認され難くすることができる。
【００２６】
【発明の実施の形態】
以下、図面を参照して、本発明の実施の形態について詳細に説明する。なお、以下では、本発明の露光装置及び露光位置補正方法をレーザ記録装置に適用した場合について説明する。まず、図１を参照して、本実施の形態に係るレーザ記録装置１０の構成について説明する。
【００２７】
同図に示すように、本実施の形態に係るレーザ記録装置１０は、複数のレーザビームを生成する光源ユニット２０と、光源ユニット２０で生成された複数のレーザビームを被露光面に集光する露光ヘッド３０と、露光ヘッド３０を副走査方向に沿って移動させる露光ヘッド移動部４０と、画像が記録される記録フィルムＦが装着されかつ当該記録フィルムＦが主走査方向に移動するように図１矢印Ｒ方向に回転駆動されるドラム５０と、を含んで構成されている。
【００２８】
光源ユニット２０には、各々光ファイバー２２の一端部が個別にカップリングされたブロードエリア半導体レーザによって構成された複数の半導体レーザ２１が表面に配置された光源基板２４と、光源基板２４の一端部に垂直に取り付けられると共にＳＣ型光コネクタ２５Ａのアダプタが複数（半導体レーザ２１と同数）設けられたアダプタ基板２５と、光源基板２４の他端部に水平に取り付けられると共に記録フィルムＦに記録する画像の画像データに応じて半導体レーザ２１を駆動するＬＤドライバー回路２６（図４も参照）が設けられたＬＤドライバー基板２７と、が備えられている。
【００２９】
上記複数の光ファイバー２２の他端部には各々ＳＣ型光コネクタ２５Ａのプラグが設けられており、当該プラグはアダプタ基板２５に設けられたアダプタの一方の挿入口に嵌合されている。従って、各半導体レーザ２１から射出されたレーザビームは光ファイバー２２によってアダプタ基板２５に設けられているアダプタの略中央位置まで伝送される。
【００３０】
また、ＬＤドライバー基板２７に設けられているＬＤドライバー回路２６における半導体レーザ２１の駆動用信号の出力端子は半導体レーザ２１に個別に接続されており、各半導体レーザ２１は、ＬＤドライバー回路２６によって各々個別に駆動が制御される。
【００３１】
一方、露光ヘッド３０には、上記複数の半導体レーザ２１から射出された各レーザビームを取り纏めて射出するファイバーアレイ部３１が備えられており、当該ファイバーアレイ部３１には、各々アダプタ基板２５に設けられた複数のアダプタの他方の挿入口に、一端部に設けられたＳＣ型光コネクタのプラグが嵌合された複数の光ファイバー７０によって、各半導体レーザ２１から射出されたレーザビームが伝送される。
【００３２】
図２には、ファイバーアレイ部３１の図１矢印Ａ方向に見た場合の構成が示されている。同図に示すように、本実施の形態に係るファイバーアレイ部３１は、各々片面に半導体レーザ２１の半数のＶ字溝が、レーザ記録装置１０で用いられているレンズ（後述するコリメータレンズ３２及び結像レンズ３４）の歪曲収差に基づいて予め定められた間隔で隣接するように設けられた２枚の基台３１Ａが、上記Ｖ字溝が対向するように配置されると共に、各Ｖ字溝に対して各光ファイバー７０の他端部（本発明の「光射出部」に相当。）が１本ずつ嵌め込まれて構成されている。従って、ファイバーアレイ部３１からは、各半導体レーザ２１から射出された複数のレーザビームが同時に射出されることになる。
【００３３】
すなわち、本実施の形態のファイバーアレイ部３１は、複数の光射出部が所定方向に沿った直線状に配置されて構成された光射出部群３１Ｂが上記所定方向と直交する方向に２列設けられて構成されている。
【００３４】
そして、本実施の形態に係るレーザ記録装置１０では、以上のように構成されたファイバーアレイ部３１を、上記所定方向が副走査方向に対して傾斜された状態とされて、一方の光射出部群３１Ｂを構成する複数の光射出部の副走査方向に対する位置を他方の光射出部群３１Ｂを構成する複数の光射出部の間に位置させた状態で用いる。なお、本実施の形態では、ファイバーアレイ部３１を副走査方向中央部に位置された光射出部がレンズの光軸上に位置されるように配置している。
【００３５】
一方、図１に示すように、露光ヘッド３０には、ファイバーアレイ部３１側より、コリメータレンズ３２、開口部材３３、及び結像レンズ３４が順に配列されている。なお、開口部材３３は、開口部がファイバーアレイ部３１のレーザビーム射出口からみてファーフィールド（ｆａｒ　ｆｉｅｌｄ）の位置となるように配置されている。これによって、ファイバーアレイ部３１における複数の光ファイバー７０の射出口から射出された全てのレーザビームに対して同等の光量制限効果を与えることができる。
【００３６】
一方、露光ヘッド移動部４０には、長手方向が副走査方向に沿うように配置されたボールネジ４１及び２本のレール４２が備えられており、ボールネジ４１を回転駆動する副走査モータ４３（図４も参照）を作動させることによってボールネジ４１上に配置された露光ヘッド３０をレール４２に案内された状態で副走査方向に移動させることができる。
【００３７】
また、ドラム５０は主走査モータ５１（図４も参照）を作動させることによって図１矢印Ｒ方向に回転させることができ、これによって主走査がなされる。
【００３８】
なお、本実施の形態では、レーザビームを高出力とするために、コア径の比較的大きな多モード光ファイバーを光ファイバー２２及び光ファイバー７０として適用している。
【００３９】
ここで、ファイバーアレイ部３１に設けられた複数の光射出部の配置位置について詳細に説明する。
【００４０】
本実施の形態に係るレーザ記録装置１０では、前述のように、ファイバーアレイ部３１を副走査方向に対して傾斜させた状態で画像の記録に用いる。このため、隣り合う走査線を露光する光射出部であっても、レンズ中心に対応する位置からの距離が大きく異なってしまい、この結果、隣り合う走査線を露光するドットの副走査方向の位置ずれ量が一方の光射出部群と他方の光射出部群とで異なることになり、結果的に記録画像に斑が発生し易くなることは図７を参照して説明した通りである。
【００４１】
そこで本実施の形態に係るファイバーアレイ部３１では、コリメータレンズ３２及び結像レンズ３４の歪曲収差に起因する位置ずれであり、かつファイバーアレイ部３１から射出されたレーザビームの被露光面での露光位置の目標とする走査線の位置からの副走査方向に対する位置ずれを相殺するようにファイバーアレイ部３１における複数の光射出部の当該光射出部の整列方向に対する配置位置を決定している。
【００４２】
すなわち、まず、コリメータレンズ３２及び結像レンズ３４の総合的な歪曲収差を示す情報（レーザビーム通過領域内における歪曲収差の方向及び大きさを示す情報）を、各レンズの設計仕様に基づくコンピュータ・シミュレーションにより導出する。
【００４３】
次に、コリメータレンズ３２及び結像レンズ３４の総合的な歪曲収差に起因する位置ずれであり、かつファイバーアレイ部３１から射出されたレーザビームの被露光面での露光位置の目標とする走査線の位置からの副走査方向に対する位置ずれの量及び方向を、導出した上記歪曲収差を示す情報と、ファイバーアレイ部３１の各光射出部から射出されたレーザビームの各々の上記レーザビーム通過領域における通過位置と、に基づく演算により導出する。
【００４４】
例えば、光射出部から射出されたレーザビームの通過位置における歪曲収差の方向が光軸に向かう方向である場合、上記位置ずれの方向は副走査方向中央部に向かう方向であり、このときの位置ずれの量は当該レーザビームの通過位置に対応する歪曲収差の大きさに比例した量となる。逆に、光射出部から射出されたレーザビームの通過位置における歪曲収差の方向が光軸から遠ざかる方向である場合、上記位置ずれの方向は副走査方向中央部から遠ざかる方向であり、このときの位置ずれの量は当該レーザビームの通過位置に対応する歪曲収差の大きさに比例した量となる。
【００４５】
以上のように各光射出部毎に上記位置ずれの量及び方向を導出し、一例として図３に示すように、上記歪曲収差による位置ずれの量を副走査方向の所定位置のずれ量として換算し、当該換算した値分、逆方向に補正するように各光射出部の当該光射出部の整列方向に対する配置位置を決定する。
【００４６】
本実施の形態に係るレーザ記録装置１０では、前述のように、ファイバーアレイ部３１を副走査方向中央部に位置された光射出部がレンズの光軸に位置されるように配置している。また、レンズの歪曲収差は、光軸から外周部に近づくほど大きくなる。従って、レンズの歪曲収差に起因した露光光の位置ずれの量は、各光射出部群から射出されたレーザビームにおいて、副走査方向中央部に位置するレーザビームから副走査方向両端部側に近づくに従って徐々に大きくなる。
【００４７】
従って、一例として図２に示されるように、各光射出部群３１Ｂに含まれる複数の光射出部のピッチ間隔が副走査方向中央部から外周部に近づくに従って徐々に大きくされた状態のファイバーアレイ部３１が作製される。
【００４８】
次に、図４を参照して、本実施の形態に係るレーザ記録装置１０の制御系の構成について説明する。同図に示すように、当該制御系は、画像データに応じて各半導体レーザ２１を駆動するＬＤドライバー回路２６と、主走査モータ５１を駆動する主走査モータ駆動回路８１と、副走査モータ４３を駆動する副走査モータ駆動回路８２と、ＬＤドライバー回路２６、主走査モータ駆動回路８１及び副走査モータ駆動回路８２を制御する制御回路８０と、を備えている。ここで、制御回路８０には、記録フィルムＦに記録する画像を示す画像データが供給される。
【００４９】
ファイバーアレイ部３１が本発明の光射出手段に、コリメータレンズ３２及び結像レンズ３４が本発明のレンズに、各々相当する。
【００５０】
次に、以上のように構成されたレーザ記録装置１０の作用について、図５に示すフローチャートを参照しつつ説明する。なお、図５は、レーザ記録装置１０によって画像記録を行う際の処理の流れを示すフローチャートである。
【００５１】
まず、記録フィルムＦに記録する画像の画像データを、画像の記録に当って当該画像の画像データを一時的に記憶する不図示の画像メモリから制御回路８０に転送する（ステップ１００）。制御回路８０は、転送されてきた画像データ、及び記録画像の予め定められた解像度を示す解像度データに基づいて調整された信号をＬＤドライバー回路２６、主走査モータ駆動回路８１、及び副走査モータ駆動回路８２に供給する。
【００５２】
次に、主走査モータ駆動回路８１は、制御回路８０から供給された信号に基づいて上記解像度データに応じた回転速度でドラム５０を図１矢印Ｒ方向に回転させるように主走査モータ５１を制御し（ステップ１０２）、副走査モータ駆動回路８２は、上記解像度データに応じて副走査モータ４３による露光ヘッド３０の副走査方向に対する送り間隔を設定する（ステップ１０４）。
【００５３】
次いで、ＬＤドライバー回路２６は、画像データに応じて各半導体レーザ２１の駆動を制御する（ステップ１０６）。
【００５４】
各半導体レーザ２１から射出されたレーザビームＬは、光ファイバー２２、ＳＣ型光コネクタ２５Ａ、及び光ファイバー７０を介してファイバーアレイ部３１から射出され、コリメータレンズ３２によって略平行光束とされた後、開口部材３３によって光量が制限され、結像レンズ３４を介してドラム５０上の記録フィルムＦに集光される。
【００５５】
この場合、記録フィルムＦには、各半導体レーザ２１から射出された複数のレーザビームＬに応じて複数のビームスポットが形成される。これらのビームスポットにより、露光ヘッド３０が上記ステップ１０４で設定された送り間隔のピッチで副走査方向に送られると共に、上記ステップ１０２により開始されたドラム５０の回転によって、解像度が上記解像度データによって示される解像度となる２次元画像が記録フィルムＦ上に形成される（ステップ１０８）。
【００５６】
記録フィルムＦ上への２次元画像の記録が終了すると、主走査モータ駆動回路８１は主走査モータ５１の回転駆動を停止し（ステップ１１０）、その後に本処理を終了する。
【００５７】
以上詳細に説明したように、本実施の形態に係るレーザ記録装置１０は、コリメータレンズ３２及び結像レンズ３４の歪曲収差による走査線の位置ずれであり、ファイバーアレイ部３１から射出されたレーザビームによる被露光面での走査線の当該走査線と直交する方向（副走査方向）に対する位置ずれを相殺するようにファイバーアレイ部３１における複数の光射出部の配置位置を決定しているので、各レンズの歪曲収差に起因する露光光の目標位置からの副走査方向に対する位置ずれの発生を未然に防止することができ、この結果として記録画像の斑を視認され難くすることができる。
【００５８】
なお、本実施の形態では、本発明の光射出手段として、各々露光用のレーザビームが射出される複数の光射出部を所定方向に沿った直線状に配置して構成した光射出部群３１Ｂが上記所定方向と直交する方向に２列設けられて構成されたファイバーアレイ部３１を適用した場合について説明したが、本発明はこれに限定されるものではなく、光射出部群３１Ｂが３列以上設けられて構成されたファイバーアレイ部を適用する形態とすることもできる。この場合、上記３列以上の光射出部群を構成する複数の光射出部が副走査方向に対して互いに異なる位置となる状態で用いられることになる。この場合も、本実施の形態と同様の効果を奏することができる。
【００５９】
また、本実施の形態では、コリメータレンズ３２及び結像レンズ３４の双方の歪曲収差に応じてファイバーアレイ部３１における光射出部のピッチ間隔を決定した場合について説明したが、本発明はこれに限定されるものではなく、例えば、コリメータレンズ３２及び結像レンズ３４の何れか一方のみの歪曲収差に応じて上記ピッチ間隔を決定する形態とすることもできる。この場合も、記録画像の斑を視認され難くする効果をある程度期待できる。
【００６０】
更に、本実施の形態において示したフローチャート（図５参照）は一例であり、本発明の主旨を逸脱しない範囲内において適宜変更可能であることは言うまでもない。
【００６１】
【発明の効果】
以上詳細に説明したように、本発明に係る露光装置及び露光位置補正方法によれば、レンズの歪曲収差による走査線の位置ずれであり、光射出手段から射出された光による被露光面での走査線の当該走査線と直交する方向に対する位置ずれを相殺するように光射出手段における複数の光射出部の配置位置を決定しているので、レンズの歪曲収差に起因する露光光の目標位置からの走査線と直交する方向に対する位置ずれの発生を未然に防止することができ、この結果として露光記録装置で用いられた際における記録画像の斑を視認され難くすることができる、という効果が得られる。
【図面の簡単な説明】
【図１】実施の形態に係るレーザ記録装置１０の概略構成図（斜視図）である。
【図２】実施の形態に係るファイバーアレイ部３１の詳細構成図である。
【図３】実施の形態に係るファイバーアレイ部３１における各光射出部の配置位置の決定手順の説明に供する模式図である。
【図４】実施の形態に係るレーザ記録装置１０の制御系の構成を示すブロック図である。
【図５】実施の形態に係るレーザ記録装置によって画像記録を行う際の処理の流れを示すフローチャートである。
【図６】光射出部群が２列設けられたファイバーアレイ部を副走査方向に対して傾斜させたときの各光射出部から射出されたレーザビームにより被露光面に記録されるドットの状態を示す模式図である。
【図７】露光記録装置に設けられたレンズの歪曲収差に起因する問題点の説明に供する模式図である。
【符号の説明】
１０　　レーザ記録装置
３１　　ファイバーアレイ部（光射出手段）
３２　　コリメータレンズ（レンズ）
３４　　結像レンズ（レンズ）
【図１】
2004109197.tif 000003
【図２】
2004109197.tif 000004
【図３】
2004109197.tif 000005
【図４】
2004109197.tif 000006
【図５】
2004109197.tif 000007
【図６】
2004109197.tif 000008
【図７】
2004109197.tif 000009